(57)【要約】【課題】プレイヤーのパッティングの癖を矯正してボールを打ち出すことが可能なパター用ゴルフシャフトを提供する。【解決手段】複数の繊維強化樹脂層からなるパター用ゴルフシャフトであって、全長Ｌを９１５ｍｍとしたときのパター用ゴルフシャフト１０の換算質量をＷ（ｇ）とし、パター用ゴルフシャフト１０の細径端部１１側から７６０ｍｍの位置Ａを下側から支持し、さらに、位置Ａから太径端部１２側に１５０ｍｍの位置Ｂを上側から支持し、細径端部１１側から１０ｍｍの位置に３．０ｋｇｆの荷重を加えて細径端部１１側の変位量を測定する、片持ち曲げ試験による変位量を剛性Ｆ（ｍｍ）とした場合に、次式｛１２０≦Ｗ≦１６０｝及び次式｛７０≦Ｆ≦１２０｝を満たす。これにより、左側に打球を外しやすい癖を有するプレイヤーがパッティングを行った場合に、打球方向が概略で真っ直ぐな方向に矯正される。【選択図】図２
2018171343.tif 000002
【特許請求の範囲】
【請求項１】
複数の繊維強化樹脂層からなるパター用ゴルフシャフトであって、
全長Ｌを９１５ｍｍとしたときの前記パター用ゴルフシャフトの換算質量をＷ（ｇ）とし、
前記パター用ゴルフシャフトの細径端部側から７６０ｍｍの位置Ａを下側から支持し、
さらに、前記位置Ａから太径端部側に１５０ｍｍの位置Ｂを上側から支持し、
細径端部側から１０ｍｍの位置に３．０ｋｇｆの荷重を加えて前記細径端部側の変位量を測定する、片持ち曲げ試験による変位量を剛性Ｆ（ｍｍ）とした場合に、
下記式（１）及び式（２）を満たすパター用ゴルフシャフト。
１２０≦Ｗ≦１６０  ・・・・・（１）
７０≦Ｆ≦１２０    ・・・・・（２）
【請求項２】
前記パター用ゴルフシャフトの長手軸方向におけるバランスポイントが、前記細径端部から５５％以内の位置である、請求項１に記載のパター用ゴルフシャフト。
【請求項３】
前記繊維強化樹脂層として、前記パター用ゴルフシャフトの長手軸方向に対する強化繊維の配向方向が−１０°〜＋１０°とされた繊維強化樹脂からなる剛性調整層を備え、且つ、該剛性調整層の全質量のうちの２／３以上が、強化繊維の引張弾性率が１５０ＧＰａ以下の繊維強化樹脂からなる、請求項１又は請求項２に記載のパター用ゴルフシャフト。
【請求項４】
さらに、前記繊維強化樹脂層として、前記剛性調整層よりも内層側に、前記パター用ゴルフシャフトの長手軸方向に対する強化繊維の配向方向が±１５°〜±７５°とされた繊維強化樹脂からなるバイアス層を備え、且つ、前記パター用ゴルフシャフトの全質量に対する前記バイアス層の質量比率が５０％以上である、請求項１〜請求項３の何れか一項に記載のパター用ゴルフシャフト。
【請求項５】
さらに、前記繊維強化樹脂層として、前記剛性調整層よりも内層側に、前記パター用ゴルフシャフトの長手軸方向に対する強化繊維の配向方向が±１５°〜±９０°とされた繊維強化樹脂からなり、且つ、前記長手軸方向において前記太径端部近傍及び前記細径端部近傍を含まない位置に配置される質量・外径調整層を備え、
前記細径端部における内径が３．０ｍｍ以上であるとともに外径が１０．０ｍｍ以下であり、且つ、前記太径端部における内径が１０．０ｍｍ以上であるとともに外径が１６．０ｍｍ以下である中空状として形成されてなる、請求項３又は請求項４に記載のパター用ゴルフシャフト。
【発明の詳細な説明】
【技術分野】
【０００１】
本発明は、パター用ゴルフシャフトに関する。
【背景技術】
【０００２】
一般に、ゴルフにおけるパッティングは、パットイズマネーと言われる程、ゲームの勝負に大きな影響を及ぼす。このようなパッティングは、ボールの動きに対して、芝目や勾配の影響も複雑に絡むことから非常に難しい。また、パッティングにおいては、真の意味で、ボールを正確に真っ直ぐ打ち出すことは難しく、多くの場合は、僅かながら左右にずれてボールが打ち出される。一方、カップの正面からボールを打つような場合には、カップインすることも多いが、上記のように、複雑な芝目や勾配が絡むと、時として１ｍｍ程度のずれも許されないようなパット精度が要求される。
【０００３】
これまで、パター用ゴルフシャフトはスチールが主な素材であったが、近年、素材技術の発達に伴い、繊維強化樹脂層からなるパター用ゴルフシャフトが市場で多く見られるようになった。これに伴い、このような繊維強化樹脂層からなるパター用ゴルフシャフトに関する幾つかの先行研究も存在し、例えば、以下のような技術が提案されている。
【０００４】
まず、パッティングの物理的側面を考慮した、繊維強化樹脂層からなるパター用ゴルフシャフトに関する技術が提案されている（例えば、特許文献１を参照）。
特許文献１は、ボールへの順回転（転がり方向への回転、トップスピン）を付与するために、シャフトのしなり方に着目した技術に関するものである。通常、パターで打ち出されたボールは、地面から僅かに浮いた状態、且つ、逆回転（転がりと逆方向の回転、バックスピン）で打ち出される。その後、ボールが地面に着地した地点からは、芝との摩擦によって徐々に逆回転を減らしながら芝の上を滑るように進み、やがて回転のない局面を向かえ、順回転の局面に入ることで転がりが生じる。そして、上記のようにボールの回転の局面が変化する過程において、ランダムな芝の影響によって方向性が失われていく。特許文献１に記載された従来の技術によれば、ボールに対して最初から順回転を不要するため、（あるいは逆回転の量が少ないため）、ボールの方向性、即ちライン精度に優れたパター用ゴルフシャフトを提供できるとされている。
【０００５】
また、繊維強化樹脂層からなるパター用ゴルフシャフトに関し、パターの感覚的側面に着目して、特許文献１と同様の課題の解決を試みた技術が提案されている（例えば、特許文献２を参照）。
特許文献２に記載の技術によれば、繊維強化樹脂層として、弾性率の高いピッチ系の炭素繊維を使用することで、プレイヤーの手に伝わる感触が従来とは異なるパター用ゴルフシャフトを提供できるとされている。
【先行技術文献】
【特許文献】
【０００６】
【特許文献１】特開２００３−１９０３４３号公報
【特許文献２】特開２０１２−１９２０７４号公報
【発明の概要】
【発明が解決しようとする課題】
【０００７】
一方、ゴルフにおけるパッティングでは、一般的に、各プレイヤーに固有の癖等により、ボールの向きを左右の何れかに外しやすいという傾向が多く見られる。しかしながら、上記の特許文献１，２等に記載された従来の技術では、そのような各プレイヤーに固有の癖を矯正することは困難であった。
【０００８】
本発明は上記問題に鑑みてなされたものであり、プレイヤーのパッティングの癖を矯正してボールを打ち出すことが可能なパター用ゴルフシャフトを提供することを目的とする。
【課題を解決するための手段】
【０００９】
本発明者らが上記目的を達成するために鋭意検討を重ねた結果、パター用ゴルフシャフトの全体剛性がプレイヤーのパフォーマンスに影響を与えることを見出し、本発明を完成させた。
即ち、本発明は、以下の態様を包含する。
【００１０】
［１］  複数の繊維強化樹脂層からなるパター用ゴルフシャフトであって、全長Ｌを９１５ｍｍとしたときの前記パター用ゴルフシャフトの換算質量をＷ（ｇ）とし、前記パター用ゴルフシャフトの細径端部側から７６０ｍｍの位置Ａを下側から支持し、さらに、前記位置Ａから太径端部側に１５０ｍｍの位置Ｂを上側から支持し、細径端部側から１０ｍｍの位置に３．０ｋｇｆの荷重を加えて前記細径端部側の変位量を測定する、片持ち曲げ試験による変位量を剛性Ｆ（ｍｍ）とした場合に、下記式（１）及び式（２）を満たすパター用ゴルフシャフト。
１２０≦Ｗ≦１６０  ・・・・・（１）
７０≦Ｆ≦１２０    ・・・・・（２）
［２］  前記パター用ゴルフシャフトの長手軸方向におけるバランスポイントが、前記細径端部から５５％以内の位置である、上記［１］に記載のパター用ゴルフシャフト。
［３］  前記繊維強化樹脂層として、前記パター用ゴルフシャフトの長手軸方向に対する強化繊維の配向方向が−１０°〜＋１０°とされた繊維強化樹脂からなる剛性調整層を備え、且つ、該剛性調整層の全質量のうちの２／３以上が、強化繊維の引張弾性率が１５０ＧＰａ以下の繊維強化樹脂からなる、上記［１］又は［２］に記載のパター用ゴルフシャフト。
［４］  さらに、前記繊維強化樹脂層として、前記剛性調整層よりも内層側に、前記パター用ゴルフシャフトの長手軸方向に対する強化繊維の配向方向が±１５°〜±７５°とされた繊維強化樹脂からなるバイアス層を備え、且つ、前記パター用ゴルフシャフトの全質量に対する前記バイアス層の質量比率が５０％以上である、上記［１］〜［３］の何れか一項に記載のパター用ゴルフシャフト。
［５］  さらに、前記繊維強化樹脂層として、前記剛性調整層よりも内層側に、前記パター用ゴルフシャフトの長手軸方向に対する強化繊維の配向方向が±１５°〜±９０°とされた繊維強化樹脂からなり、且つ、前記長手軸方向において前記太径端部近傍及び前記細径端部近傍を含まない位置に配置される質量・外径調整層を備え、前記細径端部における内径が３．０ｍｍ以上であるとともに外径が１０．０ｍｍ以下であり、且つ、前記太径端部における内径が１０．０ｍｍ以上であるとともに外径が１６．０ｍｍ以下である中空状として形成されてなる、上記［３］又は［４］に記載のパター用ゴルフシャフト。
【発明の効果】
【００１１】
本発明に係るパター用ゴルフシャフトによれば、上記のように、全長Ｌに基づく換算質量Ｗ、及び剛性Ｆの範囲を最適化することにより、右利きのプレイヤーから見て、打球方向を右側に打ち出し易くなる。これにより、左側に打球を外しやすい癖を有するプレイヤーがパッティングを行った場合に、打球方向が概略で真っ直ぐな方向に矯正される。従って、特に、左側に打球を外しやすいプレイヤーにとって好適なものである。
【図面の簡単な説明】
【００１２】
【図１】本発明に係るパター用ゴルフシャフトの実施例において、パター用ゴルフシャフトを製造した手順について説明する模式図であり、マンドレルとプリプレグを示す図である。
【図２】本発明に係るパター用ゴルフシャフトの剛性Ｆを測定する方法について説明する模式図である。
【発明を実施するための形態】
【００１３】
以下、本発明に係るパター用ゴルフシャフトの実施の形態を挙げ、必要に応じて図１，２を適宜参照しながら説明する。なお、以下の説明で用いる各図面は、その特徴をわかりやすくするために、便宜上、特徴となる部分を拡大して示している場合があり、各構成要素の寸法比率等は実際とは異なる場合がある。また、以下の説明において例示される材料、寸法等は一例であって、本発明はそれらに限定されるものではなく、その要旨を変更しない範囲で適宜変更して実施することが可能である。
【００１４】
＜パター用ゴルフシャフトの構成＞
本発明に係るパター用ゴルフシャフトは、複数の繊維強化樹脂層からなり、全長Ｌを９１５ｍｍとしたときの前記パター用ゴルフシャフトの換算質量をＷ（ｇ）とし、パター用ゴルフシャフトの細径端部側から７６０ｍｍの位置Ａを下側から支持し、さらに、位置Ａから太径端部側に１５０ｍｍの位置Ｂを上側から支持し、細径端部側から１０ｍｍの位置に３．０ｋｇｆの荷重を加えて細径端部側の変位量を測定する、片持ち曲げ試験による変位量を剛性Ｆ（ｍｍ）とした場合に、下記式（１）及び式（２）を満たすものである。
１２０≦Ｗ≦１６０  ・・・・・（１）
７０≦Ｆ≦１２０    ・・・・・（２）
【００１５】
本発明に係るパター用ゴルフシャフトは、図１に例示するように、繊維を一方向に引き揃えてなるシート状の強化繊維に樹脂を含浸させた繊維強化樹脂層（プリプレグ）を、マンドレル１に複数回巻きつけて、これを加熱硬化させて成形した後、マンドレル１を引き抜くシートラッピング法により製造される。
【００１６】
また、上記方法によって得られる、本発明に係るパター用ゴルフシャフトは、例えば、図２の剛性Ｆの測定方法を説明する模式図中に示したパター用ゴルフシャフト１０のように、長手軸方向で、太径端部から細径端部に向かって漸次縮径するテーパ形状とされる。
【００１７】
［複数の繊維強化樹脂層］
本発明において、複数の繊維強化樹脂層（図１中の符号２参照）の各々に使用される繊維としては、例えば、ガラス繊維、炭素繊維、アラミド繊維、炭化ケイ素繊維、アルミナ繊維、又はスチール繊維等が挙げられる。特に、ポリアクリロニトリル系の炭素繊維は、機械的特性に優れた繊維強化プラスチック層を構成できることから、最も好適である。なお、繊維強化樹脂層に用いられる強化繊維としては、単一種類のものを使用してもよいし、あるいは、２種類以上のものを併用してもよい。
【００１８】
繊維強化樹脂層に使用されるマトリックス樹脂としては、特に限定されないが、通常、エポキシ樹脂が用いられる。このようなエポキシ樹脂としては、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、グリシジルアミン型エポキシ樹脂、イソシアネート変性エポキシ樹脂、又は脂環式エポキシ樹脂等が挙げられる。
【００１９】
上記のエポキシ樹脂は、液状のものから固体状のものまで、特に制限されることなく使用することができる。さらに、単一種類のエポキシ樹脂又は２種類以上のエポキシ樹脂をブレンドして使用することも可能である。また、エポキシ樹脂には、硬化剤を配合して用いることがより好ましい。
【００２０】
複数の繊維強化樹脂層における繊維目付や樹脂含有率等は、特に限定されず、例えば、各層の必要な厚み、巻き径に応じて適宜選択できる。
【００２１】
（バイアス層）
本発明に係るパター用ゴルフシャフトにおいては、最内層として設けられる繊維強化樹脂層として、パター用ゴルフシャフトの長手軸方向に対する強化繊維の配向方向が±１５°〜±７５°とされた繊維強化樹脂からなるバイアス層２１が設けられていることが好ましい。即ち、バイアス層２１は、パター用ゴルフシャフトの長手軸方向に対する配向角度が＋１５°〜＋７５°で配向した強化繊維と、−１５°〜−７５°で配向した強化繊維とを含有する。通常、バイアス層２１における正の配向角度及び負の配向角度の絶対値は同一である。バイアス層２１における強化繊維の配向角度が小さすぎると、パター用ゴルフシャフトの曲げ剛性は高められるものの、ねじり剛性が小さくなり過ぎてしまう。一方、バイアス層２１における強化繊維の配向角度が大きすぎると、シャフトの潰し剛性は高められるものの、ねじり剛性が小さくなり過ぎてしまう。
【００２２】
バイアス層２１の厚さとしては、特に限定されないが、例えば、０．２５〜０．８０ｍｍとすることができる。バイアス層２１が上記範囲の下限よりも薄い場合、巻き付け回数が多くなり過ぎたり、巻き付ける時に皺が生じたりする可能性がある。一方、バイアス層２１が上記範囲の上限よりも厚い場合、パター用ゴルフシャフトの軽量化を図るためには巻き数を減らす必要があることから、巻き数不足となって捻り強度不足が生じる可能性がある。
【００２３】
なお、図示例においては、バイアス層２１は１層だけ設けられた構成とされているが、例えば、２層以上で設けられた構造とすることも可能である。このように、バイアス層２１を複数層構造とする場合には、例えば、上記の正負それぞれの層をずらして巻き付けた構成とすることも可能である。
【００２４】
また、バイアス層２１は、パター用ゴルフシャフトの全質量に対する質量比率が５０％以上であることが好ましい。パター用ゴルフシャフトにおけるバイアス層２１の質量比率が５０％未満だと、剛性が高くなりすぎて硬いパター用ゴルフシャフトとなるおそれがある。また、バイアス層２１のパター用ゴルフシャフトの全質量に対する質量比率は、５５％以上がより好ましく、６０％以上が最も好ましい。
【００２５】
（剛性調整層）
本発明に係るパター用ゴルフシャフトは、図１の模式図中に示すように、繊維強化樹脂層２として、パター用ゴルフシャフトの長手軸方向に対する強化繊維の配向方向が−１０°〜＋１０°とされた繊維強化樹脂からなる剛性調整層２４を備えることが好ましい。図１中に例示した剛性調整層２４は、パター用ゴルフシャフトの最外層として配置されている。また、剛性調整層２４は、パター用ゴルフシャフトの長手軸方向で、概ね全体にわたるように設けられることが好ましい。
【００２６】
本発明においては、パター用ゴルフシャフトの硬さを一定上で確保する観点から、剛性調整層２４の全質量のうちの２／３以上が、弾性率が１５０ＧＰａ以下の繊維強化樹脂からなることがより好ましい。また、剛性調整層２４の全質量のうちの２／３以上が、上記範囲の弾性率を有する繊維強化樹脂からなることがさらに好ましく、４／５以上が上記範囲の弾性率を有することが特に好ましく、剛性調整層２４全体が上記繊維強化樹脂からなることが最も好ましい。このように、剛性調整層２４の少なくとも２／３以上が上記範囲の弾性率を有する繊維強化樹脂からなることで、プレイヤーの手に伝わる感触が良好なものとなる。
また、剛性調整層２４の弾性率は、１００ＧＰａ以下がより好ましく、５０ＧＰａ以下がさらに好ましい。
【００２７】
なお、剛性調整層２４の積層角度は、強度を確保する観点からは−５°〜＋５°であることが好ましいが、パター用ゴルフシャフトの剛性を確保する観点からは、±１５°〜±９０°の角度等を適宜選択できる。
【００２８】
（質量・外径調整層）
本発明に係るパター用ゴルフシャフトは、繊維強化樹脂層２として、さらに、剛性調整層２４よりも内層側に、パター用ゴルフシャフトの長手軸方向に対する強化繊維の配向方向が±１５°〜±９０°とされた繊維強化樹脂からなり、且つ、長手軸方向において太径端部１２近傍及び細径端部１１近傍を含まない位置に配置される質量・外径調整層２２を備えることが好ましい。図１の模式図に示す例では、質量・外径調整層２２は、マンドレル１の長手軸方向に沿った方向において中間部にのみ配置されている。
【００２９】
質量・外径調整層２２は、上記のように、パター用ゴルフシャフトの長手軸方向に対する強化繊維の配向方向が±１５°〜±９０°とされた繊維強化樹脂、即ち、上記の長手軸方向に対する配向角度が＋１５°〜＋９０°で配向した強化繊維と、−１５°〜−９０°で配向した強化繊維とを含有する繊維強化樹脂からなる。
【００３０】
また、本発明に係るパター用ゴルフシャフトは、このような質量・外径調整層２２を備えた構成において、細径端部１１における内径が３．０ｍｍ以上であるとともに外径が１０．０ｍｍ以下であり、且つ、太径端部１２における内径が１０．０ｍｍ以上であるとともに外径が１６．０ｍｍ以下である中空状として形成されてなることが好ましい。
【００３１】
通常、パター用ゴルフシャフトは、先端となる細径端部の外径が９．０〜１０．０ｍｍ程度とされる。これは、この先端部に差し込むヘッドの規格に基づくものである。
また、グリップ部分となる太径端部は、通常、１５．０〜１６．０ｍｍである。これは、プレイヤーによる握りやすさを確保する観点から決定されたものである。
【００３２】
一方、例えば、１２０ｇ程度の重い質量とされたパター用ゴルフシャフトを構成する場合、上記のように外径の上限が決まっているときは、内径側を小さくすることで質量を確保するのが一般的である。ここで、パター用ゴルフシャフトにおいては、オーバーホーゼルタイプと呼ばれる、シャフトの内部に突起物を挿入することでヘッドを装着する構造のものも存在する。このようなタイプのヘッドを用いる場合、先端の細径端部におけるシャフト内径は３．０〜６．０ｍｍが必要となる。しかしながら、１２０ｇ程度のパター用ゴルフシャフトにおいては、内部にヘッドを装着するための十分なスペースを確保することができないことから、上記構造を採用することは困難であった。
【００３３】
そこで、本発明に係るパター用ゴルフシャフトにおいては、上述のように、質量・外径調整層２２を、細径端部１１側には配置しない構成とすることが好ましい。この場合、把持部となる後端の太径端部１２側においては、内径に留意する必要はなく、１２０ｇ程度のものであれば、問題無くパター用ゴルフシャフトを製造できる。しかしながら、この場合には、詳細を後述するバランスポイントが後端の太径端部１２側に大きく移動することになる。このように、バランスポイントが太径端部１２側に大きく移動した場合、パターのスイング感としては軽いものとなり、安定性に欠けるという問題がある。そこで、本発明においては、質量・外径調整層２２を太径端部１２側においても配置せず、パター用ゴルフシャフトの長手軸方向における中間部にのみ配置することが好ましい。これにより、後述するように、パター用ゴルフシャフトの長手軸方向において、細径端部１１から５５％以内の位置にバランスポイントを設定することが可能になる。
【００３４】
（その他の繊維強化樹脂層）
本発明に係るパター用ゴルフシャフトにおいては、上記のバイアス層、質量・外径調整層、剛性調整層等に加えて、さらに、その他の機能を有する繊維強化樹脂層を積層した構成としてもよい。このような、その他の繊維強化樹脂層としても、上述したような繊維強化樹脂を何ら制限無く用いることができる。
【００３５】
（繊維強化樹脂の種類）
上記のような複数の繊維強化樹脂層には、各条件を満たすものであれば、如何なる樹脂であっても使用することができ、例えば、後述の実施例に示すようなカーボンプリプレグ（三菱レイヨン株式会社製）を使用することができる。
【００３６】
［換算質量Ｗ］
上述したように、本発明に係るパター用ゴルフシャフトは、全長Ｌを９１５ｍｍとしたときの換算質量Ｗ（ｇ）が、次式｛１２０≦Ｗ≦１５０｝（式（１））を満たすものである。
【００３７】
本発明においては、あらゆる長さを有するパター用ゴルフシャフトの質量に対応するため、換算質量Ｗとして、パター用ゴルフシャフトの全長Ｌを９１５ｍｍとした場合の換算質量を採用している。なお、この全長は、パター用ゴルフシャフトの一般的な全長の範囲に含まれるものである。
【００３８】
パター用ゴルフシャフトの換算質量Ｗは１２０〜１６０ｇの範囲であることが好ましい。換算質量Ｗが１２０ｇ未満だと、パター用ゴルフシャフトとして軽すぎることから、プレー上の安定性に欠けるものとなる。また、換算質量Ｗが１６０ｇを超えると、パター用ゴルフシャフトとしては非常に重いものとなることから、プレーの際の操作性が低下してしまう。
【００３９】
ここで、上記の安定性の観点からは、パター用ゴルフシャフトの換算質量Ｗは１３０ｇ以上がより好ましく、１４０ｇ以上がより好ましく、１５０ｇ以上が最も好ましい。一方、上記の操作性の観点からは、パター用ゴルフシャフトの換算質量Ｗは１５０ｇ以下がより好ましく、１４０ｇ以下がさらに好ましく、１３０ｇ以下が最も好ましい。従って、パター用ゴルフシャフトの換算質量Ｗは、上記の１２０〜１６０ｇの範囲において、安定性と操作性とのバランスを勘案しながら設定することが好ましい。
【００４０】
なお、パター用ゴルフシャフトの全長が９１５ｍｍでない場合には、換算質量Ｗは、単純比率で９１５ｍｍに換算した場合の質量とすればよい。
【００４１】
［剛性Ｆ］
上述したように、本発明に係るパター用ゴルフシャフトは、剛性Ｆ（ｍｍ）が、次式｛７０≦Ｆ≦１２０｝（式（２））を満たすものである。
【００４２】
パター用ゴルフシャフトの剛性Ｆは、例えば、図２に示すような方法によって測定することができる。図２中に示すように、剛性Ｆの測定にあたっては、パター用ゴルフシャフト１０の細径端部１１から７６０ｍｍの位置Ａを下側から支持し、さらに、位置Ａから太径端部１２側に１５０ｍｍの位置Ｂを上側から支持する。そして、細径端部１１から１０ｍｍの位置Ｃに３．０ｋｇｆの荷重を加えたときの、細径端部１１における変位量を剛性Ｆとする。即ち、剛性Ｆが小さな値であるほど、パター用ゴルフシャフトが硬いものとなり、剛性Ｆが大きな値であるほど、パター用ゴルフシャフトが柔らかいものとなる。
【００４３】
パター用ゴルフシャフトの剛性Ｆは、７０〜１２０ｍｍの範囲であることが好ましい。剛性Ｆが１２０ｍｍを超えると、パター用ゴルフシャフトの剛性として低すぎ、柔らかいものとなることから、パッティング時のパターヘッドの挙動の安定性が失われる。一方、剛性Ｆが７０ｍｍ未満だと、剛性が高すぎて硬いものとなり、しなりが全く得られず、プレイヤーにとって良好なフィーリングが得られにくく、従来品との差異が小さく優位性が失われる。
【００４４】
ここで、プレイヤーにとって良好なフィーリングを確保し、従来品との差別化を図る観点からは、剛性Ｆは８０ｍｍ以上がより好ましく、９０ｍｍ以上がさらに好ましく、１００ｍｍ以上が特に好ましく、１１０ｍｍ以上が最も好ましい。一方、上記のようなパターヘッドの挙動安定性を確保する観点からは、剛性Ｆは１１０ｍｍ以下がより好ましく、１００ｍｍ以下がさらに好ましく、９０ｍｍ以下が特に好ましく、８０ｍｍ以下が最も好ましい。従って、パター用ゴルフシャフトの剛性Ｆは、上記の７０〜１２０ｍｍの範囲において、フィーリングとパターヘッドの挙動安定性とのバランスを勘案しながら設定することが好ましい。
【００４５】
［バランスポイント］
本発明に係るパター用ゴルフシャフトにおいては、長手軸方向におけるバランスポイントが、細径端部１１から５５％以内の位置であることが好ましい。バランスポイントが細径端部１１から５５％以内の位置であれば、パター用ゴルフシャフトとしての優れた安定性が得られる。バランスポイントが上記の範囲外である場合、即ち、バランスポイントが太径端部１２寄りの位置であると、上述したように、パターのスイング感としては軽いものとなり、安定しない。
【００４６】
ここで、本発明において説明する「バランスポイント」とは、パター用ゴルフシャフトの長手軸方向における一点を支持した際に、パター用ゴルフシャフトが水平状態を保つことが可能な支持点のことを言う。
【００４７】
なお、バランスポイントは、細径端部１１から５４％以内の位置にあることが好ましく、５３％以内の位置にあることがより好ましい。
また、本発明に係るパター用ゴルフシャフトのバランスポイントは、上述したような、パター用ゴルフシャフトの長手軸方向における質量・外径調整層２２の位置や大きさを調整することで最適化できる。
【００４８】
＜作用効果＞
以上説明したように、本発明に係るパター用ゴルフシャフトによれば、全長Ｌに基づく換算質量Ｗ、及び剛性Ｆの範囲を最適化することにより、右利きのプレイヤーから見て、打球方向を右側に打ち出し易くなる。これにより、左側に打球を外しやすい癖を有するプレイヤーがパッティングを行った場合に、打球方向が概略で真っ直ぐな方向に矯正される。従って、特に、左側に打球を外しやすいプレイヤーにとって好適なものである。
【００４９】
＜その他＞
以上、本発明の実施の形態について図面を参照しながら詳述したが、本実施形態で説明する各構成及びそれらの組み合わせ等は一例であり、本発明の趣旨から逸脱しない範囲内で、構成の付加、省略、置換、及びその他の変更が可能である。また、本発明は本実施形態によって限定されるものではなく、特許請求の範囲によってのみ限定される。
【実施例】
【００５０】
以下、実施例、比較例によって本発明をさらに詳細に説明するが、本発明の範囲はこれらの実施例に限定されるものではない。
【００５１】
＜実施例１＞
［パター用ゴルフシャフトの作製］
実施例１においては、まず、下記表１に示したような、繊維強化樹脂からなるプリプレグ（カーボンプリプレグ：三菱レイヨン株式会社製）を準備した。
また、マンドレルとして、先端の外径が３．３ｍｍ、先端から長手軸方向で１５０ｍｍの位置まではテーパ無し、１５０ｍｍの位置から後端までは９／１０００のテーパで漸次拡径し、後端の外径が１０．３６ｍｍとされたものを準備した。
【００５２】
そして、図１に示すように、マンドレル１の外周面に、最内層としてバイアス層２１（表１中に示すプリプレグＣ：９ｐｌｙ（積層枚数９枚））、その外側に中間部のみに巻き付けられる質量・外径調整層２２（表１中に示すプリプレグＣ：２ｐｌｙ）、さらに、その外側に剛性調整層２４（表１中に示すプリプレグＺ：６ＰＬＹ、プリプレグＣ：３ｐｌｙ）を配置し、順次巻き付けた。
【００５３】
次いで、各プリプレグを加熱硬化させた後、マンドレル１を引き抜いて、細径端部１１を１０ｍｍ、太径端部１２側を１０ｍｍカットし、さらに、このカット部を研磨することにより、パター用ゴルフシャフトの全長Ｌを９１５ｍｍとした。
上記条件及び手順により、下記表２に示すような仕様とされた実施例１のパター用ゴルフシャフトを得た。
得られた実施例１のパター用ゴルフシャフトは、先端となる細径端部の外径が９．１ｍｍ、後端となる太径端部の外径が１５．５ｍｍであった。
【００５４】
なお、以下に説明する全ての実施例及び比較例において、パター用ゴルフシャフトの長手軸方向における寸法については、全てカット後の構成を基準とする。
【００５５】
［パター用ゴルフシャフトの評価］
次に、本実施例において実施した、パター用ゴルフシャフトのサンプルを用いた評価試験について説明する。
【００５６】
（全長Ｌを９１５ｍｍとしたときの換算質量Ｗの測定）
本実施例においては、後述の各実施例及び比較例も含めて、パター用ゴルフシャフトの全長Ｌを９１５ｍｍに統一して作製しているため、換算質量Ｗについては、各サンプルの質量を単純測定したうえで、結果を下記表２中に示した。
【００５７】
（剛性Ｆの測定）
図２に示すように、パター用ゴルフシャフトの細径端部１１から７６０ｍｍの位置Ａを下側から支持し、さらに、位置Ａから太径端部１２側に１５０ｍｍの位置Ｂを上側から支持した状態で、細径端部１１から１０ｍｍの位置Ｃに３．０ｋｇｆの荷重を加えたときの、細径端部１１における変位量を測定し、これを剛性Ｆとして下記表２中に示した。
【００５８】
（被験者によるパッティングの評価）
以下に、本実施例において実施した、パター用ゴルフシャフトのサンプルを用いたパッティングの評価について説明する。
本評価試験においては、まず、細径端部にパターヘッドが取り付けられたパター用ゴルフシャフトのサンプルを用いて、被検者１０名（右利き）による試打実験（各５球）を行った。この実験は室内で行い、７ｍ先のカップをめがけて打つという条件とし、結果を「左右ズレ（ｍｍ）」として下記表１中に示した。
【００５９】
なお、本評価試験においては、後述する比較例１で作製したパター用ゴルフシャフトによる計５球の左右到達点を、各被検者ごとに「０（ｍｍ）の位置」として設定し、この位置から左右にどのぐらいずれたかを「左右ズレ（ｍｍ）」として測定したうえで、被験者１０名の平均値を下記表１に示した。下記表１中の「左右ズレ（ｍｍ）」の値は、負の値である場合は左側にずれた距離、正の値である場合は右にずれた距離を示す。
【００６０】
（バランスポイントの測定）
まず、得られたパター用ゴルフシャフトを輪ゴムに通し、長手軸方向の一点を支持した状態において、パター用ゴルフシャフトが水平状態を保つことが可能な支持点を割り出し、この位置と細径端部１１との間の距離を測定し、全長との比率で示したものをバランスポイントとし、結果を下記表２に示した。
【００６１】
下記表１に、本実施例において使用した、繊維強化樹脂からなるプリプレグの一覧を示す（全て、三菱レイヨン株式会社製）。
また、下記表２に、本実施例で作製したパター用ゴルフシャフトの各サンプルの仕様及び評価結果の一覧を示す。なお、下記表２において、全長Ｌ、換算質量Ｗ、剛性Ｆ及びバランスポイントははｎ＝１、左右ズレはｎ＝１０の平均値である。
【００６２】
【表１】
2018171343.tif 000003
【００６３】
【表２】
2018171343.tif 000004
【００６４】
＜実施例２＞
実施例２においては、実施例１の剛性調整層２４に用いるプリプレグを、表１中に示した以下のものに変更した点を除き、実施例１と同様にパター用ゴルフシャフトを作製して、同様に評価した。
・プリプレグＺ：７ｐｌｙ
・プリプレグＣ：２ｐｌｙ
【００６５】
＜実施例３＞
実施例３においては、実施例１の剛性調整層２４に用いるプリプレグを、表１中に示した以下のものに変更した点を除き、実施例１と同様にパター用ゴルフシャフトを作製して、同様に評価した。
・プリプレグＺ：８ｐｌｙ
・プリプレグＣ：１ｐｌｙ
【００６６】
＜実施例４＞
実施例４においては、実施例１の剛性調整層２４に用いるプリプレグを、表１中に示した以下のものに変更した点を除き、実施例１と同様にパター用ゴルフシャフトを作製して、同様に評価した。
・プリプレグＺ：９ｐｌｙ
・プリプレグＣ：０ｐｌｙ（実施例１では使用したが実施例４では不使用）
【００６７】
＜実施例５＞
実施例５においては、実施例４のバイアス層２１及び剛性調整層２４に用いるプリプレグを、表１中に示した以下のものに変更した点を除き、実施例４と同様にパター用ゴルフシャフトを作製して、同様に評価した。
・バイアス層２１；プリプレグＣ：１０ｐｌｙ
・剛性調整層２４；プリプレグＺ：７ｐｌｙ
【００６８】
＜実施例６＞
実施例６においては、実施例５の剛性調整層２４に用いるプリプレグを、表１中に示した以下のものに変更した点を除き、実施例５と同様にパター用ゴルフシャフトを作製して、同様に評価した。
・剛性調整層２４；プリプレグＺ：（７ｐｌｙのうちの４ｐｌｙを配向角度±４５°のものに変更）
【００６９】
＜実施例７＞
実施例７においては、実施例４の重量・外径調整層２２に用いるプリプレグを、表１中に示した以下のものに変更した点を除き、実施例４と同様にパター用ゴルフシャフトを作製して、同様に評価した。
・プリプレグＣ：４ｐｌｙ
【００７０】
＜比較例１〜１１＞
比較例１〜１１においては、換算質量Ｗ及び剛性Ｆが表２中に示した値となるように、剛性調整層又はバイアス層に用いるプリプレグを、表１中に記載の各プリプレグの中から適宜選択して調整した点を除き、実施例１と同様にパター用ゴルフシャフトを作製して、同様に評価した。
【００７１】
＜評価結果＞
表２に示すように、全長Ｌを９１５ｍｍとしたときの換算質量Ｗ（ｇ）、剛性Ｆ（ｍｍ）の何れもが本発明で規定する範囲とされた実施例１〜７のパター用ゴルフシャフトは、左右ズレが＋２〜＋１３ｍｍの範囲であり、比較例１に対して、右側の方向に２〜１３ｍｍの範囲でずれる結果となった。
【００７２】
本実施例の結果より、剛性Ｆの値が大きく、柔らかいパター用ゴルフシャフトは、打球が右側にずれやすい傾向が見られる一方、剛性Ｆの値が小さく、硬めのパター用ゴルフシャフトは、打球が左側にずれやすいことがわかる。即ち、打球が左側に外れやすい癖を有するプレイヤーは、剛性Ｆの値が大きく柔らかめである、本発明に係るパター用ゴルフシャフトを使用することで、パッティング時のカップイン率を高めることが可能となることが明らかである。
【００７３】
一方、比較例１〜１１は、換算質量Ｗ（ｇ）又は剛性Ｆ（ｍｍ）の少なくとも何れかが本発明で規定する範囲外である例である。
比較例１は、上述したように、被験者によるパッティングの評価の基準として設定した例であり、剛性Ｆが本発明で規定する下限未満の例である。
比較例２は、換算質量Ｗが本発明で規定する下限未満の例であるが、この比較例２は、左右ズレが＋２ｍｍであった。このように、比較例２においては、被験者１０名の平均値では、左右ズレが＋２ｍｍと右側にずれる結果となったものの、バラつきが非常に大きく、この平均値は信頼できるものではなかった。
【００７４】
比較例３は、剛性Ｆが本発明で規定する上限を超えている例であるが、この比較例３は、左右ズレが−１８ｍｍと左側に大きくずれる結果となり、打球が左側に外れやすい癖を有するプレイヤーにとって有効とは言い難いものであった。これは、換算質量Ｗが大きすぎ、パター用ゴルフシャフトの操作性が低下したためと考えられる。
比較例４は、剛性Ｆが本発明で規定する上限を超えている例であるが、この比較例４は、左右ズレが＋２７ｍｍと右側に大きくずれる結果となった。
【００７５】
比較例５は、換算質量Ｗ及び剛性Ｆの何れもが本発明で規定する範囲を満たしているが、バランスポイントが細径端部から５６％の位置とであったため、操作性に劣り、左右ズレが−８ｍｍと左側にずれる結果となり、上記同様、本発明の課題を解決できるものではなかった。
比較例６〜１１は、剛性Ｆが本発明で規定する下限未満の例であるが、これら比較例６〜１１は、左右ズレが−１〜−１５と左側にずれる結果となり、何れも、打球が左側に外れやすい癖を有するプレイヤーにとって有効とは言い難いものであった。これは、剛性Ｆの値が小さいことから、パター用ゴルフシャフトが硬過ぎるものとなり、しなりが全く得られず、被験者にとって良好なフィーリングが得られにくかったためと考えられる。
【００７６】
以上説明した実施例の結果より、本発明に係るパター用ゴルフシャフトを用いることで、プレイヤーのパッティングの癖を矯正してボールを打ち出すことが可能になることが明らかである。
【産業上の利用可能性】
【００７７】
本発明のパター用ゴルフシャフトは、左側に打球を外しやすい癖を有するプレイヤーがパッティングを行った場合に、打球方向が概略で真っ直ぐな方向に矯正される。これにより、特に、左側に打球を外しやすいプレイヤーにとって好適なものとなり、極めて有用なものである。
【符号の説明】
【００７８】
１…マンドレル、
２…繊維強化樹脂層、
２１…バイアス層、
２２…質量・外径調整層、
２４…剛性調整層、
１０…パター用ゴルフシャフト、
１１…細径端部、
１２…太径端部。
【図１】
2018171343.tif 000005
【図２】
2018171343.tif 000006